(57)【要約】 【課題】  紙詰まりした記録紙が持ち去られたことを使用者が把握することができる画像形成装置を提供する。【解決手段】  記録紙検出部１７の検出結果に基づいて、制御部１３が紙詰まりを検出する。紙詰まりが検出され、紙詰まりが解消されて記録紙２１への画像形成動作が再開されたときに、ジャム画像４１が記録紙２１に形成される。したがって使用者は、出力部１６によってジャム画像４１が形成された記録紙２１によって、紙詰まりが発生したことを認識することができる。これによって使用者は、画像形成動作が終了した後で画像が形成された記録紙２１を閲覧したとき、紙詰まりした記録紙２１が他人によって持ち去られたか否かを把握することができる。【選択図】      図１
2006084850.tif 000002
【特許請求の範囲】
【請求項１】
給紙位置から排紙位置に向けて搬送経路に沿って記録紙を搬送する搬送手段と、
搬送経路に介在され、搬送手段によって搬送される記録紙に画像を形成する画像形成手段と、
紙詰まりを検出する紙詰まり検出手段と、
紙詰まり検出手段によって、紙詰まりが検出され、紙詰まりが解消されて記録紙への画像形成動作が再開されたときに、紙詰まりに関する紙詰まり情報を示す画像を記録紙に形成するように、画像形成手段を制御する制御手段とを含むことを特徴とする記録装置。
【請求項２】
制御手段は、紙詰まりが解消されて記録紙への画像形成動作が再開されたときに、紙詰まり情報を示す画像を記録紙に形成した後に、紙詰まりした記録紙に形成されるべき画像を、新たに記録紙に形成するように画像形成手段を制御することを特徴とする請求項１記載の画像形成装置。
【請求項３】
制御手段は、紙詰まり情報を示す画像を、紙詰まりした記録紙に形成されるべき画像が新たに形成される記録紙に、合わせて形成するように画像形成手段を制御することを特徴とする請求項１記載の画像形成装置。
【請求項４】
制御手段は、複数部数の記録紙に画像を形成する場合、全ての部の記録紙に紙詰まり情報を示す画像を形成するように画像形成手段を制御することを特徴とする請求項１記載の画像形成装置。
【請求項５】
制御手段は、複数の紙詰まりの原因のうち指定される原因による紙詰まりが発生した場合、紙詰まり情報を示す画像を記録紙に形成するように画像形成手段を制御することを特徴とする請求項１〜４のいずれか１つに記載の画像形成装置。
【請求項６】
制御手段は、紙詰まり検出手段によって紙詰まりが検出されなかった場合、紙詰まりが検出されない旨の情報を示す画像を記録紙に形成するように、画像形成手段を制御することを特徴とする請求項１記載の画像形成装置。
【請求項７】
搬送手段によって搬送される記録紙を排紙位置に排紙する排紙手段をさらに含み、
制御手段は、紙詰まり情報を示す画像が形成される記録紙が他の記録紙と異なる排紙位置に排紙するように、排紙手段を制御することを特徴とする請求項１，２，４，５のいずれか１つに記載の画像形成装置。
【請求項８】
制御手段は、紙詰まり情報を示す画像が形成される記録紙を、残余の記録紙の厚み方向一方側の表面とは反対方向に向けて排紙するように、排紙手段を制御することを特徴とする請求項７記載の画像形成装置。
【発明の詳細な説明】
【技術分野】
【０００１】
本発明は、給紙位置から排紙位置に向けて搬送経路に沿って搬送される記録紙に画像を形成する画像形成装置に関する。
【背景技術】
【０００２】
特許文献１に記載の印刷装置は、たとえば複写機およびプリンタなどの画像形成装置に相当し、出力制御手段、格納手段および印刷出力手段を有する。印刷装置は、ホストコンピュータまたは外部入力装置によって出力制御手段に入力され、かつ印刷出力手段で印刷出力されるページデータについて、そのページデータのデータ出力履歴を示す指示データを、印刷出力が完了するまで格納手段に格納する。印刷装置は、紙詰まりが発生したとき、格納手段に格納した指示データに基づいて、印刷不能となったページデータを出力制御手段から印刷出力手段に再送信し、再出力を行うように構成される。
【０００３】
【特許文献１】特開平３−２６５６１号公報
【発明の開示】
【発明が解決しようとする課題】
【０００４】
前述の印刷装置では、紙詰まりが生じたとき、使用者以外の他人によって、紙詰まりした記録紙が取り除かれて紙詰まりが解消され、画像形成動作が再開される場合がある。この場合、使用者以外の他人が、使用者の許可を得ないで紙詰まりした記録紙を棄てたり、持ち去ったりしたとしても、使用者は、紙詰まりが生じたこと、ならびに他人によって紙詰まりした記録紙が棄てられたり、勝手に持ち去られたりしたことを認識することができないという問題がある。
【０００５】
本発明の目的は、紙詰まりした記録紙が持ち去られたことを使用者が把握することができる画像形成装置を提供することである。
【課題を解決するための手段】
【０００６】
本発明は、給紙位置から排紙位置に向けて搬送経路に沿って記録紙を搬送する搬送手段と、
搬送経路に介在され、搬送手段によって搬送される記録紙に画像を形成する画像形成手段と、
紙詰まりを検出する紙詰まり検出手段と、
紙詰まり検出手段によって、紙詰まりが検出され、紙詰まりが解消されて記録紙への画像形成動作が再開されたときに、紙詰まりに関する紙詰まり情報を示す画像を記録紙に形成するように、画像形成手段を制御する制御手段とを含むことを特徴とする記録装置である。
【０００７】
本発明に従えば、記録紙は、搬送手段によって、給紙位置から排紙位置に向けて搬送経路に沿って搬送される。搬送手段によって搬送経路に沿って搬送される記録紙には、画像形成手段によって画像が形成される。紙詰まり検出手段によって紙詰まりが検出され、紙詰まりが解消されて記録紙への画像形成動作が再開されたときに、画像形成手段によって、紙詰まりに関する紙詰まり情報を示す画像が記録紙に形成される。したがって使用者は、画像形成手段によって前記紙詰まり情報を示す画像が形成された記録紙によって、紙詰まりが発生したことを認識することができる。これによって使用者は、画像形成動作が終了した後で画像が形成された記録紙を閲覧したとき、紙詰まりした記録紙が他人によって持ち去られたか否かを把握することができる。さらに使用者は、紙詰まりした記録紙が他人によって持ち去られたか否かを把握することができるので、使用者以外の他人によって、紙詰まりした記録紙が使用者の許可を得ないまま勝手に持ち去られることを抑止することができる。
【０００８】
また本発明は、制御手段は、紙詰まりが解消されて記録紙への画像形成動作が再開されたときに、紙詰まり情報を示す画像を記録紙に形成した後に、紙詰まりした記録紙に形成されるべき画像を、新たに記録紙に形成するように画像形成手段を制御することを特徴とする。
【０００９】
また本発明に従えば、紙詰まり検出手段によって紙詰まりが検出され、紙詰まりが解消されて記録紙への画像形成動作が再開されたときに、画像形成手段によって、まず、紙詰まり情報を示す画像が記録紙に形成され、その後に、紙詰まりした記録紙に形成されるべき画像が、新たに記録紙に形成される。したがって使用者は、紙詰まり情報を示す画像が形成された記録紙によって、紙詰まりが発生した頁位置を容易に把握することができる。
【００１０】
また本発明は、制御手段は、紙詰まり情報を示す画像を、紙詰まりした記録紙に形成されるべき画像が新たに形成される記録紙に、合わせて形成するように画像形成手段を制御することを特徴とする。
【００１１】
また本発明に従えば、紙詰まり検出手段によって紙詰まりが検出され、紙詰まりが解消されて記録紙への画像形成動作が再開されたとき、画像形成手段によって、紙詰まり情報を示す画像が、紙詰まりした記録紙に形成されるべき画像が新たに形成される記録紙に、合わせて形成される。したがって使用者は、紙詰まりした記録紙に形成されるべき画像と、紙詰まり情報を示す画像とが合わせて形成される記録紙によって、紙詰まりが発生したことと、紙詰まりした記録紙に形成されるべき画像とを一度に把握することができる。また、紙詰まり情報を示す画像を、紙詰まりした記録紙に形成されるべき画像が新たに形成される記録紙に、合わせて形成することによって、紙詰まり情報を示す画像と、紙詰まりした記録紙に形成されるべき画像とを個別の記録紙に形成する場合に比べて、画像を形成する記録紙を節約することができる。
【００１２】
また本発明は、制御手段は、複数部数の記録紙に画像を形成する場合、全ての部の記録紙に紙詰まり情報を示す画像を形成するように画像形成手段を制御することを特徴とする。
【００１３】
また本発明に従えば、複数部数の記録紙に画像を形成する場合、紙詰まり検出手段によって紙詰まりが検出され、紙詰まりが解消されて記録紙への画像形成動作が再開されたときに、画像形成手段によって、全ての部の記録紙に紙詰まり情報を示す画像が形成される。したがって使用者は、画像形成手段によって前記紙詰まり情報を示す画像が形成された記録紙によって、複数部のうち紙詰まりが発生した部を容易に把握することができる。これによって使用者は、画像形成動作が終了した後で画像が形成された記録紙を閲覧したとき、紙詰まりした記録紙が他人によって持ち去られたか否かを把握することができる。
【００１４】
また本発明は、制御手段は、複数の紙詰まりの原因のうち指定される原因による紙詰まりが発生した場合、紙詰まり情報を示す画像を記録紙に形成するように画像形成手段を制御することを特徴とする。
【００１５】
また本発明に従えば、複数の紙詰まりの原因のうち指定される原因による紙詰まりが発生した場合、紙詰まりが解消されて記録紙への画像形成動作が再開されたときに、画像形成手段によって、紙詰まり情報を示す画像が記録紙に形成される。したがって使用者は、画像形成手段によって前記紙詰まり情報を示す画像が形成された記録紙によって、紙詰まりが発生したことおよび紙詰まりが発生した原因を容易に把握することができる。
【００１６】
また本発明は、制御手段は、紙詰まり検出手段によって紙詰まりが検出されなかった場合、紙詰まりが検出されない旨の情報を示す画像を記録紙に形成するように、画像形成手段を制御することを特徴とする。
【００１７】
また本発明に従えば、紙詰まり検出手段によって紙詰まりが検出されなかった場合、画像形成手段によって、紙詰まりが検出されない旨の情報を示す画像が記録紙に形成される。したがって使用者は、画像形成手段によって前記紙詰まりが検出されない旨の情報を示す画像が形成された記録紙によって、紙詰まりが発生していないことを認識することができる。また画像形成手段によって、紙詰まりが検出されない旨の情報を示す画像を記録紙に形成することによって、前記紙詰まりが検出されない旨の情報を示す画像を記録紙に形成しない場合のように、紙詰まりが発生したにも拘らず、使用者以外の他人によって紙詰まりした記録紙が使用者の許可を得ずに持ち去られてしまい、紙詰まりした記録紙が他人によって持ち去られたことを使用者が把握することができなくなることを防ぐことができる。
【００１８】
また本発明は、搬送手段によって搬送される記録紙を排紙位置に排紙する排紙手段をさらに含み、
制御手段は、紙詰まり情報を示す画像が形成される記録紙が他の記録紙と異なる排紙位置に排紙するように、排紙手段を制御することを特徴とする。
【００１９】
また本発明に従えば、紙詰まり検出手段によって紙詰まりが検出され、紙詰まりが解消されて記録紙への画像形成動作が再開されたときに、画像形成手段によって、紙詰まり情報を示す画像が記録紙に形成される。この紙詰まり情報を示す画像が形成された記録紙は、排紙手段によって、他の記録紙と異なる排紙位置に排紙される。このように、紙詰まり情報を示す画像が形成される記録紙の排紙位置と、他の記録紙の排紙位置とを異ならせることによって、使用者は、紙詰まり情報を示す画像が形成された記録紙を容易に認識することができる。
【００２０】
また本発明は、制御手段は、紙詰まり情報を示す画像が形成される記録紙を、残余の記録紙の厚み方向一方側の表面とは反対方向に向けて排紙するように、排紙手段を制御することを特徴とする。
【００２１】
また本発明に従えば、紙詰まり検出手段によって紙詰まりが検出され、紙詰まりが解消されて記録紙への画像形成動作が再開されたときに、画像形成手段によって、紙詰まり情報を示す画像が記録紙に形成される。この紙詰まり情報を示す画像が形成される記録紙は、排紙手段によって、残余の記録紙の厚み方向一方側の表面とは反対方向に向けて排紙される。このように、紙詰まり情報を示す画像が形成される記録紙を、残余の記録紙の厚み方向一方側の表面とは反対方向に向けて排紙することによって、使用者は、紙詰まり情報を示す画像が形成された記録紙を容易に認識することができる。
【発明の効果】
【００２２】
本発明によれば、使用者は、画像形成手段によって前記紙詰まり情報を示す画像が形成された記録紙によって、紙詰まりが発生したことを認識することができる。これによって使用者は、画像形成動作が終了した後で画像が形成された記録紙を閲覧するとき、紙詰まりした記録紙が他人によって持ち去られたか否かを把握することができる。さらに使用者は、紙詰まりした記録紙が他人によって持ち去られたか否かを把握することができるので、使用者以外の他人によって、紙詰まりした記録紙が使用者の許可を得ないまま勝手に持ち去られることを抑止することができる。
【００２３】
また本発明によれば、画像形成手段によって、まず、紙詰まり情報を示す画像が記録紙に形成され、その後に、紙詰まりした記録紙に形成されるべき画像が、新たに記録紙に形成されるので、使用者は、紙詰まり情報を示す画像が形成された記録紙によって、紙詰まりが発生した頁位置を容易に把握することができる。
【００２４】
また本発明によれば、使用者は、紙詰まりした記録紙に形成されるべき画像と、紙詰まり情報を示す画像とが合わせて形成される記録紙によって、紙詰まりが発生したことと、紙詰まりした記録紙に形成されるべき画像とを一度に把握することができる。また、紙詰まり情報を示す画像を、紙詰まりした記録紙に形成されるべき画像が新たに形成される記録紙に、合わせて形成することによって、紙詰まり情報を示す画像と、紙詰まりした記録紙に形成されるべき画像とを個別の記録紙に形成する場合に比べて、画像を形成する記録紙を節約することができる。
【００２５】
また本発明によれば、使用者は、画像形成手段によって前記紙詰まり情報を示す画像が形成された記録紙によって、複数部のうち紙詰まりが発生した部を容易に把握することができる。これによって使用者は、画像形成動作が終了した後で画像が形成された記録紙を閲覧したとき、紙詰まりした記録紙が他人によって持ち去られたか否かを把握することができる。
【００２６】
また本発明によれば、使用者は、画像形成手段によって前記紙詰まり情報を示す画像が形成された記録紙によって、紙詰まりが発生したことおよび紙詰まりが発生した原因を容易に把握することができる。
【００２７】
また本発明によれば、使用者は、画像形成手段によって前記紙詰まりが検出されない旨の情報を示す画像が形成された記録紙によって、紙詰まりが発生していないことを認識することができる。また画像形成手段によって、紙詰まりが検出されない旨の情報を示す画像を記録紙に形成することによって、前記紙詰まりが検出されない旨の情報を示す画像を記録紙に形成しない場合のように、紙詰まりが発生したにも拘らず、使用者以外の他人によって紙詰まりした記録紙が使用者の許可を得ずに持ち去られてしまい、紙詰まりした記録紙が他人によって持ち去られたことを使用者が把握することができなくなることを防ぐことができる。
【００２８】
また本発明によれば、紙詰まり情報を示す画像が形成される記録紙の排紙位置と、他の記録紙の排紙位置とを異ならせることによって、使用者は、紙詰まり情報を示す画像が形成された記録紙を容易に認識することができる。
【００２９】
また本発明によれば、紙詰まり情報を示す画像が形成される記録紙を、残余の記録紙の厚み方向一方側の表面とは反対方向に向けて排紙することによって、使用者は、紙詰まり情報を示す画像が形成された記録紙を容易に認識することができる。
【発明を実施するための最良の形態】
【００３０】
図１は、本発明の実施の一形態である画像形成装置１の構成を示すブロック図である。画像形成装置１は、画像形成ユニット２および後処理ユニット３を含んで構成される。画像形成装置１は、たとえば複写機、プリンタおよびファクシミリ装置の機能を統合したデジタル複合機によって実現される。画像形成ユニット２は、スキャナ部１１、入力部１２、制御部１３、メモリ部１４、データ変換部１５および出力部１６を含む。スキャナ部１１では、原稿載置台に載置された原稿を読み取り、画像データを取得する。たとえば、原稿載置台に載置された原稿に沿って光源を移動させ、原稿の一表面部に光を照射する。そして、原稿からの反射光を反射鏡によって反射して結像レンズを介して電荷結合素子（
Charge Coupled Device；略称：ＣＣＤ）に導く。ＣＣＤによって読み取られた前記原稿からの反射光像は、アナログ信号に変換された後、Ａ／Ｄ（アナログ／デジタル）変換処理によってデジタル信号に変換されて画像データを得る。スキャナ部１１は、取得した画像データを入力部１２に与える。入力部１１には、スキャナ部１２から出力される画像データ、ならびに外部のパーソナルコンピュータ（略称：ＰＣ）４から出力される画像データおよび文字データが入力される。
【００３１】
入力部１１は、入力された画像データおよび文字データを制御部１３に与える。制御部１３は、中央演算処理装置（Central Processing Unit；略称：ＣＰＵ）を含み、内蔵するメモリに記憶される制御プログラムに基づいて、入力部１２、メモリ部１４、データ変換部１５および出力部１６を制御する。制御部１３は、入力部１２から与えられる画像データおよび文字データをデータ変換部１５に与える。メモリ部１４は、たとえば書換え可能な不揮発性メモリによって実現される。データメモリ１４には、たとえば画像データおよび文字データならびに紙詰まり（以下、「ジャム」と表記する場合がある）に関する紙詰まりデータ（以下、「ジャムデータ」と表記する場合がある）が記憶される。ジャムデータは、たとえば紙詰まりした頁の番号および紙詰まりの原因を示す文字データである。データ変換部１５では、制御部１３からの指令に応じて、制御部１３を介して入力部１２から与えられる文字データおよび画像データを、ビットマップ形式の画像データに変換する。データ変換部１５は、ビットマップ形式に変換した画像データを出力部１６に与える。
【００３２】
出力部１６は、記録紙検出部１７および開閉状態検出部１８を含む。出力部１６は、データ変換部１５から与えられる画像データが表す画像を記録紙に形成し、この画像を形成した記録紙を後処理装置３へ搬送する。記録紙検出部１７は、出力部１６の給紙位置から排紙位置に向けて搬送経路に沿って搬送される記録紙の紙詰まりを検出する。開閉状態検出部１８は、画像形成装置１の筐体の一部分を構成する開閉可能な扉の開閉状態を検出する。前記扉は、たとえば画像形成装置１で紙詰まりが発生した場合に、紙詰まりした記録紙を除去する作業を行うときに開閉する。開閉状態検出部１８は、たとえばフォトセンサを含む。フォトセンサは、発光素子および受光素子を含む。発光素子は、たとえばＬＥＤによって実現される。受光素子は、たとえばフォトダイオードによって実現される。発光素子から発光された光を受光素子が受光した場合、制御部１３は、扉が閉状態、つまり扉が閉じていると判断し、発光素子から発光された光を受光素子が受光しない場合、制御部１３は、扉が開状態、つまり扉が開いていると判断する。
【００３３】
後処理ユニット３は、画像形成ユニット２から排出される画像形成済みの記録紙に対して後処理を施す。後処理は、たとえば画像形成ユニット２から排出される画像形成済みの複数の記録紙を、異なる排紙トレイに排紙するように仕分けするソート処理、複数の記録紙を綴じるステープル処理、および記録紙にファイリング用の貫通孔を形成する処理を含む。
【００３４】
図２は、画像形成ユニット２の出力部１６および後処理ユニット３の構成を簡略化して示す図である。図３は、後処理ユニット３を簡略化して示す平面図である。出力部１６は、給紙カセット２０、搬送経路２２、搬送ローラ２３、画像形成部２４、定着部２５、第１記録紙センサＳ１および第２記録紙センサＳ２を含む。給紙カセット２０には、記録紙２１が積層して載置される。搬送経路２２は、給紙カセット２０と、後述する後処理ユニット３に設けられる排紙トレイ３３との間に設けられる。搬送経路２２には、記録紙２１を画像形成部２４、定着部２５および後処理ユニット３に向けてそれぞれ搬送するための搬送ローラ２３が、搬送経路２２に沿って配置される。搬送ローラ２３は、記録紙２１を挟持して搬送する一対のローラを含む。給紙カセット２０に載置される記録紙２１は、上方から順次的に給紙され、搬送ローラ２３によって所定のタイミングで画像形成部２４に向けて搬送される。給紙カセット２０と画像形成部２４との間の搬送経路２２の中途部には、第１記録紙センサＳ１が配置される。第１記録紙センサＳ１は、搬送されてくる記録紙２１を検出する。第１記録紙センサＳ１は、検出結果を制御部１３に与える。
【００３５】
画像形成部２４は、図示しない感光体ドラム、レーザユニット、現像器および転写器を含む。本実施の形態では、記録紙２１の厚み方向一方側の表面のみに画像を形成する場合を想定する。レーザユニットは、所定の方向に回転可能な感光体ドラムの表面にレーザ光を照射して、データ変換部１５から与えられる画像データに基づく静電潜像を形成する。現像器は、静電潜像にトナーなどの現像剤を吸着させることによって現像して可視化する。転写器は、搬送経路２２を挟んで感光体ドラムと対向して配置され、搬送経路２２に沿って搬送される記録紙２１に現像剤を転写する。前述のように画像形成部２４では、感光体ドラムおよび感光体ベルトなどの感光体の表面に露光を行うことによって、所望の静電潜像を形成し、露光によって形成された静電潜像にトナーなどの現像剤を付着させて顕像化する。そして、生成されたトナー像を記録紙２１に転写する。画像形成部２４によってトナー像が転写された記録紙２１は、搬送経路２２に沿って、搬送ローラ２３によって定着部２５に向けて搬送される。画像形成部２４と定着部２５との間の搬送経路２２の中途部には、第２記録紙センサＳ２が配置される。第２記録紙センサＳ２は、第１記録紙センサＳ１と同様に、搬送されてくる記録紙２１を検出し、検出結果を制御部１３に与える。
【００３６】
定着部２５は、定着器、クリーニング器および帯電器を含む。定着器は、転写器によって記録紙２１に転写された現像剤を熱および圧力によって定着する。クリーニング器は、転写後の感光体ドラムの表面に残存する現像剤を除去する。帯電器は、感光体ドラムの表面を所定の電位に帯電する。画像形成部２４および定着部２５の各処理を施すことによって、データ変換部１５から与えられる画像データが表す画像が記録紙２１に形成される。画像形成部２４および定着部２５によって、記録紙２１に形成される画像は、文字を表す文字画像でもよいし、写真でもよい。定着部２５によって現像剤が定着された記録紙２１は、搬送経路２２に沿って後処理ユニット３に搬送される。
【００３７】
記録紙検出部１７である第１記録紙センサＳ１および第２記録紙センサＳ２は、たとえばメカセンサなどと呼称される接触式の検出手段を用いている。さらに述べると、第１記録紙センサＳ１および第２記録紙センサＳ２は、搬送経路２２に、この搬送経路２２から退避可能に突出する操作片を設け、記録紙２１が搬送経路２２を通過するときに操作片が操作されるように配置され、記録紙２１によって操作片が操作されたときと操作されていないときとで操作片が変位することによって出力態様が異なる。操作片の位置は、たとえば透過型または反射型のフォトセンサを用いて検出する。本実施の形態では、制御部１３は、第１記録紙センサＳ１が給紙カセット２０から搬送されてくるべき記録紙２１を検出しなかった場合、給紙カセット２０と第１記録紙センサＳ１との間の搬送経路２２におけるジャム（以下、「給紙ジャム」と表記する場合がある）が発生したと判断する。また、制御部１３は、第２記録紙センサＳ２が画像形成部２４から搬送されてくるべき記録紙２１を検出しなかった場合、第１記録紙センサＳ１と第２記録紙センサＳ２との間の搬送経路２２におけるジャム（以下、「搬送ジャム」と表記する場合がある）が発生したと判断する。さらに、開閉状態検出部１８によって画像形成装置１の扉が開いていると判断した場合、制御部１３は、扉の開状態によるジャムが発生したと判断する。
【００３８】
後処理ユニット３は、搬送方向切換ゲート３１、記録紙反転部３２、排紙トレイ３３、シャフト３４および排紙トレイ移動用コロ３５を含む。搬送方向切換ゲート３１は、出力部１６から搬送されてきた記録紙２１を所定の排紙位置に導くために、記録紙２１の仕分けを行う。搬送方向切換ゲート３１を制御することによって、記録紙２１の排紙位置を切換えることができる。記録紙反転部３２は、記録紙２１に形成される画像の種類に応じて、排紙トレイ３３に排紙する記録紙２１の厚み方向一方の表面の向きを反転する場合に用いられる。さらに述べると、画像が形成された記録紙２１の厚み方向一方の表面を、排紙トレイ３３の厚み方向一方、たとえば上向きにして排紙（以下、「フェイスアップ排紙」と表記する場合がある）する態様から、画像が形成された記録紙２１の厚み方向一方の表面を、排紙トレイ３３の厚み方向他方、たとえば下向きにして排紙（以下「フェイスダウン排紙」と表記する場合がある）する態様に変更する場合、記録紙反転部３２によって、排紙トレイ３３に排紙する記録紙２１の厚み方向一方の表面の向きを反転する。
【００３９】
排紙トレイ３３には、画像が形成された記録紙２１が、下方から順次的に積層して載置される。排紙トレイ３３は、シャフト３４に支持されており排紙トレイ移動用コロ３５が回転することによって、シャフト３４の長手方向に沿って排紙トレイ３３の厚み方向に垂直な方向（以下「オフセット方向」と表記する場合がある）Ｙに変位可能に構成される。
【００４０】
本実施の形態において、搬送手段は、搬送経路２２および搬送ローラ２３によって構成される。画像形成手段は、画像形成部２４および定着部２５によって構成される。紙詰まり検出手段は、第１記録紙センサＳ１、第２記録紙センサＳ２および制御部１３によって構成される。制御手段は、制御部１３によって構成される。排紙手段は、排紙トレイ３３、シャフト３４および排紙トレイ移動用コロ３５によって構成される。
【００４１】
図４は、制御部１３のジャム処理動作の一例を示すフローチャートである。ステップａ０では、制御部１３は、給紙カセット２０に載置される記録紙２１が、搬送ローラ２３によって画像形成部２４に向けて搬送されたときにジャム処理動作を開始して、ステップａ１に進む。ステップａ１では、出力部１６に、データ変換部１５から与えられる画像データが表す画像（以下、「主画像」と表記する場合がある）４０を記録紙２１に形成する指令を与える。出力部１６では、制御部１３からの指令に基づいて、主画像４０を記録紙２１に形成する処理を行う。本実施の形態では、主画像４０を含む画像を複数の記録紙２１に形成する処理を行うことを想定する。ステップａ２では、記録紙検出部１７および開閉状態検出部１８の少なくともいずれか一方から与えられる検出結果に基づいて、主画像４０を形成した記録紙２１にジャムが発生したか否かを判断し、ジャムが発生した場合はステップａ３に進み、ジャムが発生していない場合はステップａ４に進む。ステップａ３では、ジャムデータをメモリ部１４に記憶する。ステップａ４では、データ変換部１５から与えられるすべての画像データが表す画像を記録紙２１に形成する処理が終了したか否かを判断し、終了したと判断した場合はステップａ５に進み、終了していないと判断した場合はステップａ１に戻り、前述と同様の処理を行う。ステップａ５では、データ変換部１５から与えられる画像データが表す画像を記録紙２１に形成する処理を行っているときに、ジャムが発生したか否かを判断し、発生した場合はステップａ６に進み、ジャムが発生していない場合はステップａ７に進む。ステップａ６では、出力部１６に、ジャムデータを示す画像（以下、「ジャム画像」と表記する場合がある）４１を記録紙２１に形成する指令を与える。出力部１６では、制御部１３からの指令に基づいて、ジャム画像４１を記録紙２１に形成する処理を行う。ステップａ６の処理を終了した後は、ステップａ８に進む。ステップａ７では、出力部１６に、ジャムが発生していない旨の情報、換言すれば画像形成動作が正常に終了した旨の情報（以下、「正常終了情報」と表記する場合がある）を示す画像（以下、「正常終了画像」と表記する場合がある）４２を記録紙２１に形成する指令を与える。出力部１６では、制御部１３からの指令に基づいて、正常終了画像４２を記録紙２１に形成する。ステップａ７の処理を終了した後は、ステップａ８に進む。ステップａ８では、すべての処理動作を終了する。
【００４２】
図５は、ジャムの検出動作に関する制御部１３の処理手順を示すフローチャートである。ステップｂ０では、制御部１３は、給紙カセット２０に載置される記録紙２１が、搬送ローラ２３によって画像形成部２４に向けて搬送されたときにジャムの検出動作を開始して、ステップｂ１に進む。ステップｂ１では、開閉状態検出部１８に、扉の開閉状態を検出する指令を与える。ステップｂ２では、開閉状態検出部１８から与えられる検出結果に基づいて、扉が開状態、つまり扉が開いているか否かの判断を行い、扉が開いていると判断した場合はステップｂ３に進み、扉が閉じていると判断した場合は、ステップｂ４に進む。ステップｂ３では、扉の開状態によるジャムが発生したと認識して、ステップｂ４に進む。ステップｂ４では、すべての処理動作を終了する。
【００４３】
図６は、ジャムの検出動作に関する制御部１３の処理手順を示すフローチャートである。ステップｃ０では、制御部１３は、給紙カセット２０に載置される記録紙２１が、搬送ローラ２３によって画像形成部２４に向けて搬送されたときにジャムの検出動作を開始して、ステップｃ１に進む。ステップｃ１では、ジャムの検出動作に関する制御部１３の処理手順の開始時刻（以下、単に「開始時刻」と表記する場合がある）から時間ｔが１秒経過したか否かを判断し、１秒経過した場合はステップｃ２に進み、１秒経過していない場合は１秒経過するまで待機する。ステップｃ２では、第１記録紙センサＳ１から与えられる検出結果に基づいて、第１記録紙センサＳ１で記録紙２１が検出されたか否かを判断し、検出された場合はステップｃ４に進み、検出されなければステップｃ３に進む。ステップｃ３では、給紙ジャムが発生したと認識して、ステップｃ７に進む。ステップｃ４では、開始時刻から時間ｔが２秒経過したか否かを判断し、２秒経過した場合はステップｃ５に進み、２秒経過していない場合は２秒経過するまで待機する。ステップｃ５では、第２記録紙センサＳ２から与えられる検出結果に基づいて、第２記録紙センサＳ２で記録紙２１が検出されたか否かを判断し、検出された場合はすべての処理手順を終了し、検出されなければステップｃ６に進む。ステップｃ６では、搬送ジャムが発生したと認識して、ステップｃ７に進む。ステップｃ７では、すべての処理動作を終了する。前述の図４のフローチャートに示すステップａ２における制御部１３のジャムの検出動作は、前述の図５および図６のフローチャートに示す処理手順に従って行われる。
【００４４】
図７は、記録紙２１に形成されるジャム画像４１の一例を示す図である。図８は、記録紙２１に形成される正常終了画像４２の一例を示す図である。画像形成時にジャムが発生した場合、前述の図４のフローチャートに示すステップａ６では、たとえば図７に示すように「＊＊ページのプリント時にジャムが発生しました。」という紙詰まりした頁の番号を含む文字画像、および「ジャム原因：扉オープン」という紙詰まりの原因を表す文字画像を含むジャム画像４１を記録紙２１に形成する。また画像形成時にジャムが発生しなかった場合、前述の図４のフローチャートに示すステップａ７では、たとえば図８に示すように、「ジャムは発生しませんでした。」という文字画像を含む正常終了画像４２を記録紙２１に形成する。
【００４５】
前述のように本実施の形態によれば、給紙カセット２０に載置される記録紙２１は、搬送ローラ２３によって、排紙トレイ３３に向けて搬送経路２２に沿って搬送される。搬送ローラ２３によって搬送経路２２に沿って搬送される記録紙２１には、画像形成部２４および定着部２５によって画像が形成される。第１および第２記録紙センサＳ１，Ｓ２の検出結果に基づいて制御部１３によって紙詰まりが検出され、紙詰まりが解消されて記録紙２１への画像形成動作が再開されたときに、画像形成部２４および定着部２５によって、紙詰まりに関する紙詰まり情報、本実施の形態では紙詰まりした頁の番号および紙詰まりの原因を示す文字画像を含むジャム画像４１が記録紙２１に形成される。したがって使用者は、画像形成部２４および定着部２５によってジャム画像４１が形成された記録紙２１によって、紙詰まりが発生したことを認識することができる。これによって使用者は、画像形成動作が終了した後で画像が形成された記録紙２１を閲覧したとき、紙詰まりした記録紙が他人によって持ち去られたか否かを把握することができる。さらに使用者は、紙詰まりした記録紙２１が他人によって持ち去られたか否かを把握することができるので、使用者以外の他人によって、紙詰まりした記録紙２１が使用者の許可を得ないまま勝手に持ち去られることを抑止することができる。また前述のように、紙詰まりした記録紙２１が使用者の許可を得ないまま勝手に持ち去られることを抑止することができるので、紙詰まりした記録紙２１に、たとえば機密事項の画像が形成される場合、機密事項が漏洩することを防ぐことができる。
【００４６】
また本実施の形態では、紙詰まりが検出されなかった場合、画像形成部２４および定着部２５によって、正常終了画像４２が記録紙２１に形成される。したがって使用者は、画像形成部２４および定着部２５によって正常終了画像４２が形成された記録紙２１によって、紙詰まりが発生していないことを認識することができる。また画像形成部２４および定着部２５によって、正常終了画像４２を記録紙２１に形成することによって、正常終了画像４２を記録紙２１に形成しない場合のように、紙詰まりが発生したにも拘らず、使用者以外の他人によって紙詰まりした記録紙２１が使用者の許可を得ずに持ち去られてしまい、紙詰まりした記録紙２１が他人によって持ち去られたことを使用者が把握することができなくなることを防ぐことができる。
【００４７】
図９は、制御部１３のジャム処理動作の一例を示すフローチャートである。ステップｄ０では、制御部１３は、給紙カセット２０に載置される記録紙２１が、搬送ローラ２３によって画像形成部２４に向けて搬送されたときにジャム処理動作を開始して、ステップｄ１に進む。ステップｄ１では、出力部１６に、主画像４０を記録紙２１に形成する指令を与える。出力部１６では、制御部１３からの指令に基づいて、主画像４０を記録紙２１に形成する処理を行う。ステップｄ２では、記録紙検出部１７および開閉状態検出部１８の少なくともいずれか一方から与えられる検出結果に基づいて、主画像４０を形成した記録紙２１にジャムが発生したか否かを判断し、ジャムが発生した場合はステップｄ３に進み、ジャムが発生していない場合はステップｄ４に進む。ステップｄ３では、出力部１６に、ジャム画像４１を記録紙２１に形成する指令を与える。出力部１６では、制御部１３からの指令に基づいて、ジャム画像４１を記録紙２１に形成する。ステップｄ４では、データ変換部１５から与えられるすべての画像データが表す画像を記録紙２１に形成する処理が終了したか否かを判断し、終了したならばステップｄ５に進み、終了していなければステップｄ１に戻り、前述と同様の処理を行う。ステップｄ５では、すべての処理動作を終了する。前述のステップｄ２における制御部１３のジャムの検出動作は、前述の図５および図６のフローチャートに示す処理手順に従って行う。
【００４８】
前述のように本実施の形態によれば、第１および第２記録紙センサＳ１，Ｓ２の検出結果に基づいて制御部１３によって紙詰まりが検出され、紙詰まりが解消されて記録紙２１への画像形成動作が再開されたときに、画像形成部２４および定着部２５によって、まず、ジャム画像４１を記録紙に形成し、その後で、紙詰まりした記録紙に形成されるべき画像を、新たに記録紙２１に形成するようにしてもよい。このように、ジャム画像４１を記録紙に形成し、その後で紙詰まりした記録紙に形成されるべき画像を、新たに記録紙２１に形成する場合、使用者は、ジャム画像４１が形成された記録紙によって、紙詰まりが発生した頁位置を容易に把握することができる。
【００４９】
図１０は、制御部１３のジャム処理動作の一例を示すフローチャートである。ステップｅ０では、制御部１３は、給紙カセット２０に載置される記録紙２１が、搬送ローラ２３によって画像形成部２４に向けて搬送されたときにジャム処理動作を開始して、ステップｅ１に進む。ステップｅ１およびステップｅ２の処理は、前述の図４に示すフローチャートのステップａ１およびステップａ２の処理と同じ処理であるので、ステップｅ１およびステップｅ２の処理の説明を省略する。ステップｅ３では、ジャム画像４１を、主画像４０が新たに形成される記録紙２１に合わせて形成する指令を、出力部１６に与える。出力部１６では、制御部１３からの指令に基づいて、ジャム画像４１を、主画像４０が新たに形成される記録紙２１に合わせて形成する処理を行う。ステップｅ４では、データ変換部１５から与えられるすべての画像データが表す画像を記録紙２１に形成する処理が終了したか否かを判断し、終了したならばステップｅ５に進み、終了していなければステップｅ１に戻り、前述と同様の処理を行う。ステップｅ５では、すべての処理動作を終了する。前述のステップｅ２における制御部１３のジャムの検出動作は、前述の図５および図６のフローチャートに示す処理手順に従って行われる。
【００５０】
図１１は、主画像の縮小画像４３が形成される記録紙２１に、合わせて形成されるジャム画像４１の一例を示す図である。図１２は、主画像４０が形成される記録紙２１に、合わせて形成されるジャム画像４１の一例を示す図である。前述の図１０のフローチャートに示すステップｅ３では、たとえば図１１に示すように、主画像４０の縮小画像４３が形成される記録紙２１に、「＊＊ページのプリント時にジャムが発生しました。」という紙詰まりした頁の番号を含む文字画像、および「ジャム原因：扉オープン」という紙詰まりの原因を表す文字画像を含むジャム画像４１を合わせて形成する。また、前述の図１０のフローチャートに示すステップｅ３では、図１２に示すように、主画像４０が形成される記録紙２１のヘッダ（header）領域に、「本ページのプリント時にジャムが発生しました。」という文字画像を含むジャム画像４１を形成するようにしてもよい。
【００５１】
前述のように本実施の形態によれば、第１および第２記録紙センサＳ１，Ｓ２の検出結果に基づいて制御部１３によって紙詰まりが検出され、紙詰まりが解消されて記録紙２１への画像形成動作が再開されたときに、画像形成部２４および定着部２５によって、ジャム画像４１が、紙詰まりした記録紙に形成されるべき画像が新たに形成される記録紙２１に、合わせて形成されてもよい。このようにジャム画像４１を、紙詰まりした記録紙に形成されるべき画像が新たに形成される記録紙２１に、合わせて形成することによって、使用者は、紙詰まりした記録紙２１に形成されるべき画像と、ジャム画像４１とが合わせて形成される記録紙２１によって、紙詰まりが発生したことと、紙詰まりした記録紙２１に形成されるべき画像とを一度に把握することができる。またジャム画像４１を、紙詰まりした記録紙２１に形成されるべき画像が新たに形成される記録紙２１に、合わせて形成することによって、ジャム画像４１と、紙詰まりした記録紙２１に形成されるべき画像とを個別の記録紙２１に形成する場合に比べて、画像を形成する記録紙２１を節約することができる。
【００５２】
図１３は、制御部１３のジャム処理動作の一例を示すフローチャートである。ステップｆ０では、制御部１３は、給紙カセット２０に載置される記録紙２１が、搬送ローラ２３によって画像形成部２４に向けて搬送されたときにジャム処理動作を開始して、ステップｆ１に進む。ステップｆ１〜ステップｆ５の処理は、前述の図４に示すフローチャートのステップａ１〜ステップａ５の処理と同じであるので、ステップｆ１〜ステップｆ５の処理の説明を省略する。ステップｆ５において、データ変換部１５から与えられる画像データが表す画像を記録紙２１に形成する処理を行っているときに、ジャムが発生した場合はステップｆ６に進み、ジャムが発生していない場合はステップｆ７に進む。ステップｆ６の処理は、前述の図４に示すフローチャートのステップａ６の処理と同じであるので、ステップｆ６の処理の説明を省略する。ステップｆ７では、データ変換部１５から与えられるすべての画像データが表す画像を、指定した部数の記録紙２１に形成する処理が終了したか否かを判断し、終了したと判断した場合はステップｆ８に進み、終了していないと判断した場合はステップｆ１に戻り、前述と同様の処理を行う。ステップｆ８では、すべての処理動作を終了する。前述のステップｆ２における制御部１３のジャムの検出動作は、前述の図５および図６のフローチャートに示す処理手順に従って行う。
【００５３】
前述のように本実施の形態によれば、複数部数の記録紙２１に画像を形成する場合、第１および第２記録紙センサＳ１，Ｓ２の検出結果に基づいて制御部１３によって紙詰まりが検出され、紙詰まりが解消されて記録紙２１への画像形成動作が再開されたときに、画像形成部２４および定着部２５によって、全ての部の記録紙２１にジャム画像４１が形成される。したがって使用者は、画像形成部２４および定着部２５によってジャム画像４１が形成された記録紙２１によって、複数部のうち紙詰まりが発生した部を把握することができる。これによって使用者は、画像形成動作が終了した後で画像が形成された記録紙２１を閲覧したとき、紙詰まりした記録紙２１が他人によって持ち去られたか否かを把握することができる。
【００５４】
図１４は、制御部１３のジャム処理動作の一例を示すフローチャートである。ステップｇ０では、制御部１３は、給紙カセット２０に載置される記録紙２１が、搬送ローラ２３によって画像形成部２４に向けて搬送されたときにジャム処理動作を開始して、ステップｇ１に進む。ステップｇ１の処理は、前述の図４に示すフローチャートのステップａ１の処理と同じであるので、ステップｇ１の処理の説明を省略する。ステップｇ２では、記録紙検出部１７および開閉状態検出部１８の少なくともいずれか一方から与えられる検出結果に基づいて、複数のジャムの種類のうち予め指定したジャムが発生したか否かを判断し、ジャムが発生した場合はステップｇ３に進み、ジャムが発生していない場合はステップｇ４に進む。ステップｇ３〜ステップｇ６の処理は、前述の図４に示すフローチャートのステップａ３〜ステップａ６の処理と同じであるので、ステップｇ３〜ステップｇ６の処理の説明を省略する。ステップｇ７では、すべての処理動作を終了する。前述のステップｇ２における制御部１３の指定したジャムの検出動作は、前述の図５および図６のフローチャートに示す処理手順に従って行う。
【００５５】
前述のように本実施の形態によれば、複数の紙詰まりの原因、本実施の形態では給紙ジャム、搬送ジャムおよび扉の開状態によるジャムのうち予め指定した原因による紙詰まりが発生した場合、紙詰まりが解消されて記録紙２１への画像形成動作が再開されたときに、画像形成部２４および定着部２５によってジャム画像４１が記録紙２１に形成される。したがって使用者は、画像形成部２４および定着部２５によってジャム画像４１が形成された記録紙２１によって、紙詰まりが発生したことおよび紙詰まりが発生した原因を容易に把握することができる。
【００５６】
図１５は、制御部１３のジャム処理動作の一例を示すフローチャートである。ステップｈ０では、制御部１３は、給紙カセット２０に載置される記録紙２１が、搬送ローラ２３によって画像形成部２４に向けて搬送されたときにジャム処理動作を開始して、ステップｈ１に進む。ステップｈ１〜ステップｈ６の処理は、前述の図４に示すフローチャートのステップａ１〜ステップａ６の処理と同じであるので、ステップｈ１〜ステップｈ６の処理の説明を省略する。ステップｈ７では、出力部１６によってジャム画像４１を形成した記録紙２１を、出力部１６によって主情報４０を形成した記録紙２１と異なる配置位置に配置するように排紙（以下、「オフセット排紙」と表記する場合がある）を行う指令を、後処理ユニット３に与える。後処理ユニット３では、制御部１３の指令に基づいて、排紙トレイ移動用コロ３５を回転させることによって排紙トレイ３３をオフセット方向Ｙに変位させて、主画像４０が形成された記録紙２１を排紙した位置とは異なる位置に、ジャム画像４１を形成した記録紙２１が位置するようにオフセット排紙を行う。ステップｈ７の処理を終了した後は、ステップｈ８に進み、すべての処理動作を終了する。前述のステップｈ２における制御部１３のジャムの検出動作は、前述の図５および図６のフローチャートに示す処理手順に従って行う。
【００５７】
前述のように本実施の形態によれば、画像形成部２４および定着部２５によってジャム画像４１が形成された記録紙２１の排紙される位置が、主画像４０が形成された記録紙２１の排紙される位置とは異なるように、排紙トレイ３３をオフセット方向Ｙに変位させて、ジャム画像４１が形成された記録紙２１をオフセット排紙する。前述のように、ジャム画像４１が形成された記録紙２１の排紙位置と、主画像４０が形成された記録紙２１の排紙位置とを異ならせることによって、使用者は、ジャム画像４１が形成された記録紙２１を容易に認識することができる。
【００５８】
図１６は、制御部１３のジャム処理動作の一例を示すフローチャートである。ステップｋ０では、制御部１３は、給紙カセット２０に載置される記録紙２１が、搬送ローラ２３によって画像形成部２４に向けて搬送されたときにジャム処理動作を開始して、ステップｋ１に進む。ステップｋ１の処理は、前述の図４に示すフローチャートのステップａ１の処理と同じであるので、ステップｋ１の処理の説明を省略する。ステップｋ２では、後処理ユニット３に、主画像４０が形成された記録紙２１を排紙トレイ３３にフェイスダウン排紙する指令を与える。後処理ユニット３では、制御部１３からの指令に基づいて、主画像４０が形成された記録紙２１を排紙トレイ３３にフェイスダウン排紙する処理を行う。ステップｋ３〜ステップｋ８の処理は、前述の図４に示すフローチャートのステップａ２〜ステップａ７の処理と同じであるので、ステップｋ３〜ステップｋ８の処理の説明を省略する。ステップｋ９では、後処理ユニット３に、ジャム画像４１または正常終了画像４２が形成された記録紙２１を排紙トレイ３３にフェイスアップ排紙する指令を与える。後処理ユニット３では、制御部１３からの指令に基づいて、ジャム画像４１または正常終了画像４２が形成された記録紙２１を排紙トレイ３３にフェイスアップ排紙する処理を行う。ステップｋ９の処理が終了した後は、ステップｋ１０に進み、すべての処理動作を終了する。前述のステップｋ３における制御部１３のジャムの検出動作は、前述の図５および図６のフローチャートに示す処理手順に従って行う。
【００５９】
前述のように本実施の形態では、主画像４０が形成された記録紙２１を排紙トレイ３３にフェイスダウン排紙し、ジャム画像４１または正常終了画像４２が形成された記録紙２１を排紙トレイ３３にフェイスアップ排紙する。このように、ジャム画像４１および正常終了画像４２が形成された記録紙２１を、主画像４０が形成された記録紙２１の厚み方向一方側の表面とは反対方向に向けて排紙することによって、使用者は、ジャム画像４１が形成された記録紙２１を容易に認識することができる。
【００６０】
前述の実施の形態は、本発明の例示に過ぎず、発明の範囲内において構成を変更することができる。たとえば、前述の実施の形態では、画像形成装置１として複合機に適用した場合の構成について述べたが、本発明の他の実施の形態では、たとえば複写機およびプリンタに適用した場合でも好適に実施することができる。また前述の実施の形態では、ジャム画像４１として、紙詰まりした頁の番号および紙詰まりの原因を示す文字画像を記録紙２１に形成しているが、紙詰まりが発生したことを表す記号画像をジャム画像４１として記録紙２１に形成するようにしてもよい。また前述の実施の形態では、出力部１６の画像形成部２４および定着部２５によってジャム画像４１が形成された記録紙と、主画像４０が形成された記録紙とを区別するために、オフセット排紙、フェイスアップ排紙およびフェイスダウン排紙するように構成しているが、本発明の他の実施の形態では、画像形成装置１がカラー画像形成装置の場合、ジャム画像４１および正常終了画像４２と、主画像４０とを異なる色で記録紙２１に形成する構成にしてもよい。このような構成であっても、本実施の形態と同様に好適に実施することができる。
【００６１】
また前述の実施の形態では、第１および第２記録紙センサＳ１，Ｓ２としてメカセンサと呼称される接触式の検出手段を用いた場合について説明したが、本発明の他の実施の形態では、第１および第２記録紙センサＳ１，Ｓ２として、発光素子および受光素子を含むフォトセンサを用いてもよい。また前述の実施の形態では、出力部１６の画像形成部２４および定着部２５によって、主画像４０、ジャム画像４１および正常終了画像４２を、記録紙２１に形成する場合について述べたが、本発明の他の実施の形態では、シート状の記録媒体、たとえばＯＨＰ（Over Head Projector）に用いられる透明フィルムに、主画像４０、ジャム画像４１および正常終了画像４２を形成するようにしてもよい。
【図面の簡単な説明】
【００６２】
【図１】本発明の実施の一形態である画像形成装置１の構成を示すブロック図である。
【図２】画像形成ユニット２の出力部１６および後処理ユニット３の構成を簡略化して示す図である。
【図３】後処理ユニット３を簡略化して示す平面図である。
【図４】制御部１３のジャム処理動作の一例を示すフローチャートである。
【図５】ジャムの検出動作に関する制御部１３の処理手順を示すフローチャートである。
【図６】ジャムの検出動作に関する制御部１３の処理手順を示すフローチャートである。
【図７】記録紙２１に形成されるジャム画像４１の一例を示す図である。
【図８】記録紙２１に形成される正常終了画像４２の一例を示す図である。
【図９】制御部１３のジャム処理動作の一例を示すフローチャートである。
【図１０】制御部１３のジャム処理動作の一例を示すフローチャートである。
【図１１】主画像の縮小画像４３が形成される記録紙２１に、合わせて形成されるジャム画像４１の一例を示す図である。
【図１２】主画像４０が形成される記録紙２１に、合わせて形成されるジャム画像４１の一例を示す図である。
【図１３】制御部１３のジャム処理動作の一例を示すフローチャートである。
【図１４】制御部１３のジャム処理動作の一例を示すフローチャートである。
【図１５】制御部１３のジャム処理動作の一例を示すフローチャートである。
【図１６】制御部１３のジャム処理動作の一例を示すフローチャートである。
【符号の説明】
【００６３】
１  画像形成装置
２  画像形成ユニット
３  後処理ユニット
４  パーソナルコンピュータ
１１  スキャナ部
１２  入力部
１３  制御部
１４  データメモリ
１５  データ変換部
１６  出力部
１７  記録紙検出部
１８  開閉状態検出部
２０  給紙カセット
２１  記録紙
２２  搬送経路
２３  搬送ローラ
２４  画像形成部
２５  定着部
３１  搬送方向切換ゲート
３２  記録紙反転部
３３  排紙トレイ
３４  シャフト
３５  排紙トレイ移動用コロ
４０  主画像
４１  ジャム画像
４２  正常終了画像
４３  主画像の縮小画像
【図１】
2006084850.tif 000003
【図２】
2006084850.tif 000004
【図３】
2006084850.tif 000005
【図４】
2006084850.tif 000006
【図５】
2006084850.tif 000007
【図６】
2006084850.tif 000008
【図７】
2006084850.tif 000009
【図８】
2006084850.tif 000010
【図９】
2006084850.tif 000011
【図１０】
2006084850.tif 000012
【図１１】
2006084850.tif 000013
【図１２】
2006084850.tif 000014
【図１３】
2006084850.tif 000015
【図１４】
2006084850.tif 000016
【図１５】
2006084850.tif 000017
【図１６】
2006084850.tif 000018